(57)【特許請求の範囲】
【請求項１】
ユーザーから操作を受け付ける操作面を有する操作パネルと、
光を受けて発電する光発電モジュールと、
前記光発電モジュールが前記操作パネルの操作面の上方に配置されるように、前記光発電モジュールを支持する支持部材と、を備え、
前記光発電モジュールは、前記支持部材に対して回動可能に支持され、
前記支持部材は、第１位置と第２位置との間で回動するよう装置本体に取り付けられ、
前記支持部材が前記第１位置に向かって回動することによって前記光発電モジュールが前記操作パネルの操作面に接近する方向に移動し、前記支持部材が前記第１位置に到達すると前記光発電モジュールが前記操作パネルの操作面を塞ぎ、前記支持部材が前記第１位置から前記第２位置に向かって回動することによって前記光発電モジュールが前記操作パネルの操作面から離れる方向に移動するように、前記光発電モジュールが前記支持部材に支持されることを特徴とする画像形成装置。
【請求項２】
前記操作パネルの操作面には、表示光を発する表示パネルが配置され、
前記光発電モジュールは、表面および裏面の両面が受光面として機能する両面受光型の光発電モジュールであることを特徴とする請求項１に記載の画像形成装置。
【請求項３】
前記支持部材が前記第１位置から前記第２位置に向かって回動するよう付勢する付勢部材を備え、
前記光発電モジュールには、第１係合部が設けられるとともに、前記操作パネルには、前記第１係合部と係合可能な第２係合部が設けられており、
前記第１係合部および前記第２係合部は、前記支持部材が前記第１位置に在るときに、互いに係合することを特徴とする請求項１または２に記載の画像形成装置。
【請求項４】
前記支持部材は、レール部材と、前記レール部材にスライド可能に支持されるスライド部材とを含み、
前記光発電モジュールは、前記スライド部材に支持されることを特徴とする請求項１〜３のいずれか１項に記載の画像形成装置。
【請求項５】
前記支持部材は、内側に収容スペースが確保されるように形成されており、前記光発電モジュールから延びる電線を前記収容スペースに収容することを特徴とする請求項１〜４のいずれか１項に記載の画像形成装置。
【発明の詳細な説明】
【技術分野】
【０００１】
本発明は、光発電モジュールを備えた画像形成装置に関する。
【背景技術】
【０００２】
従来、光発電モジュールを備えた画像形成装置が知られている（たとえば、特許文献１参照）。特許文献１の画像形成装置は、プラテンガラスに載置された原稿を読み取るスキャン機能を有しており、プラテンガラスに載置された原稿を押え付けるためのプラテンカバーを備える。そして、光発電モジュールは、プラテンカバーの上面に装着される。
【先行技術文献】
【特許文献】
【０００３】
【特許文献１】特開２０１５−１０８６６１号公報
【発明の概要】
【発明が解決しようとする課題】
【０００４】
画像形成装置に光発電モジュールを装着した場合、光発電モジュールの発電量を増大させるため、日当たりの良い窓際などに画像形成装置を設置することがある。このように画像形成装置を窓際に設置すると、人工光（蛍光灯の光など）だけでなく太陽光も光発電モジュールに入射するので、光発電モジュールの発電量が増大する。
【０００５】
ここで、画像形成装置には、ユーザーから各種設定を受け付けるための操作パネルが装着される。たとえば、操作パネルは、タッチパネルディスプレイを含み、設定キー（ソフトウェアキー）などの画像を表示する。
【０００６】
このような操作パネルが装着された画像形成装置において、操作パネルの操作面（タッチパネルディスプレイが配置された面）で光が反射される。このため、操作パネルの操作面が見難くなる（タッチパネルディスプレイに表示される画像が見難くなる）という不都合が生じ得る。特に、光発電モジュールの発電量を増大させるために日当たりの良い窓際などに画像形成装置を設置した場合、人工光（蛍光灯の光など）だけでなく太陽光も操作パネルの操作面に入射するので、操作パネルの操作面がより見難くなり得る。この不都合を解消するために、光を遮るための遮光部材を別途設けると、部品点数が増加してしまう。
【０００７】
本発明は、上記課題を解決するためになされたものであり、遮光部材を別途設けることなく、操作パネルの操作面が見難くなるのを抑制することが可能な画像形成装置を提供することを目的とする。
【課題を解決するための手段】
【０００８】
上記目的を達成するため、本発明の画像形成装置は、ユーザーから操作を受け付ける操作面を有する操作パネルと、光を受けて発電する光発電モジュールと、光発電モジュールが操作パネルの操作面の上方に配置されるように、光発電モジュールを支持する支持部材と、を備え、光発電モジュールは、支持部材に対して回動可能に支持される。
【０００９】
本発明の構成では、光の入射方向に応じて光発電モジュールを支持部材に対して回動させれば（光発電モジュールの傾きを調整すれば）、操作パネルの操作面で光が反射されないように、光発電モジュールによって光を遮ることができる。したがって、光発電モジュールが遮光部材を兼ねているため、遮光部材を別途設けなくても、操作パネルの操作面で光が反射することに起因して操作パネルの操作面が見難くなる、という不都合が生じるのを抑制することができる。
【００１０】
なお、操作パネルの操作面の上方に光発電モジュールを配置すると、ユーザーによっては、操作パネルの操作面が見難くなる場合がある。しかし、光発電モジュールは支持部材に対して回動可能に支持されるので、操作パネルの操作面が見易くなるように、光発電モジュールの傾きを調整することができる。
【発明の効果】
【００１１】
本発明の構成では、遮光部材を別途設けることなく、操作パネルの操作面が見難くなるのを抑制することができる。
【図面の簡単な説明】
【００１２】
【図１】本発明の一実施形態による複合機の全体構成を示す斜視図
【図２】本発明の一実施形態による複合機に装着される操作パネルの構成を示す斜視図
【図３】本発明の一実施形態による複合機に装着される光発電モジュールの構成を示す断面図
【図４】本発明の一実施形態による複合機のハードウェア構成を示す図
【図５】本発明の一実施形態による複合機を上方から見た場合の図
【図６】本発明の一実施形態による複合機に取り付けられる支持部材の周辺部分を側方から見た場合の図（支持部材が上限位置に在るときの図）
【図７】本発明の一実施形態による複合機に取り付けられる支持部材の周辺部分を側方から見た場合の図（光発電モジュールを支持部材に対して上方に回動したときの図）
【図８】本発明の一実施形態による複合機に取り付けられる支持部材の周辺部分を側方から見た場合の図（支持部材が下限位置に在るときの図）
【図９】本発明の一実施形態による複合機に取り付けられる支持部材の周辺部分を側方から見た場合の図（支持部材が回動しているときの図）
【図１０】本発明の一実施形態による複合機に装着される光発電モジュールおよび操作パネルの各係合部の構造を示す図
【図１１】本発明の一実施形態による複合機に取り付けられる支持部材の構造を示す図
【図１２】本発明の一実施形態による複合機に取り付けられる支持部材の断面図
【発明を実施するための形態】
【００１３】
本発明の一実施形態による画像形成装置について、複合機を例にとって説明する。
【００１４】
＜複合機の全体構成＞
図１に示すように、本実施形態の複合機１００の装置本体１００Ａは、画像読取部１０や印刷部２０、操作パネル３０などで構成される。そして、この装置本体１００Ａには、光発電モジュール４０が装着される。なお、図１では、光発電モジュール４０をドット柄で示す。
【００１５】
画像読取部１０は、原稿を光学的に読み取って原稿の画像データを生成する。イメージセンサーなど画像読取部１０の光学系部材（図示せず）は、画像読取部１０の筐体１１（以下、読取筐体１１と称する）の内部に配置される。また、画像読取部１０は、読取位置への原稿の自動搬送を行うための原稿搬送装置ユニット１２を含む。この原稿搬送ユニット１２は、読取筐体１１の後面側の部分に設けられた回動軸（図示せず）を支点として回動可能となっている。
【００１６】
印刷部２０は、装置本体１００Ａに収容された用紙を印刷位置に搬送するとともに、印刷すべき画像の画像データ（原稿の画像データなど）に基づきトナー像を形成する。そして、印刷部２０は、搬送中の用紙が印刷位置を通過するとき、その用紙にトナー像を転写する。
【００１７】
操作パネル３０は、図２に示すように、読取筐体１１の前面側において、その操作面３０ａ（上方に向く面）が後方から前方に向かって斜め下に傾斜するよう配置される。たとえば、操作パネル３０の外郭を成す筐体３１（以下、パネル筐体３１と称する）が読取筐体１１の前面側の部分に固定される。なお、図２では、便宜上、光発電モジュール４０を省略する。
【００１８】
操作パネル３０の操作面３０ａには、タッチパネルディスプレイ３２やハードウェアキー３３が配置される。タッチパネルディスプレイ３２やハードウェアキー３３は、パネル筐体３１の内部で保持され、パネル筐体３１の上面（すなわち、操作面３０ａ）に形成された開口を介して外部に露出される。なお、タッチパネルディスプレイ３２は「表示パネル」に相当する。
【００１９】
たとえば、タッチパネルディスプレイ３２は、タッチパネル付きの液晶表示パネルであって、ジョブ実行条件の設定など各種設定をユーザーから受け付けるためのソフトウェアキーを表示する（表示光を発する）。ハードウェアキー３３は、スタートキーやテンキーなどを含む。
【００２０】
図１に戻って、光発電モジュール４０は、支持部材５０を介して、読取筐体１１に取り付けられる。あるいは、変形例として、光発電モジュール４０がパネル筐体３１に取り付けられてもよい。なお、光発電モジュール４０の取付構造については、後に詳細に説明する。
【００２１】
光発電モジュール４０は、図３に示すように、筐体４１（以下、モジュール筐体４１と称する）を備える。このモジュール筐体４１は、枠状に形成される。そして、モジュール筐体４１（枠体）の枠内には、太陽光や人工光（蛍光灯などの光）を受けて発電する太陽電池４２が複数収容される。たとえば、太陽電池４２は、表面および裏面の両面が受光面として機能する両面受光型である。
【００２２】
光発電モジュール４０の表面側および裏面側にはそれぞれ透明板４３が設けられ、一対の透明板４３の間に太陽電池４２が配置される。なお、一対の透明板４３の間の領域のうち太陽電池４２が配置されない領域には、透明な充填材４４が充填される。そして、太陽電池４２は、一対の透明板４３の外側に向く各面から入射した光を電力に変換する（光を受けて発電する）。以下の説明では、一方の透明板４３の外側面を第１受光面４０ａと称し、他方の透明板４３の外側面を第２受光面４０ｂと称する。
【００２３】
また、図４に示すように、複合機１００は、複合機１００の各部の動作を制御する主制御部６０を備える。主制御部６０は、画像読取部１０の読取動作や印刷部２０の印刷動作を制御する。さらに、主制御部６０は、操作パネル３０の表示動作を制御したり、操作パネル３０に対して行われた操作を検知したりする。
【００２４】
ここで、複合機１００は、蓄電／給電部７０を備える。蓄電／給電部７０は、制御回路７１および蓄電池７２を含む。制御回路７１は、光発電モジュール４０から出力される電力の充電や供給を制御する。蓄電池７２は、光発電モジュール４０から出力される電力を充電する。
【００２５】
たとえば、制御回路７１は、蓄電池７２の充電量を主制御部６０に通知する。この通知を受けた主制御部６０は、蓄電／給電部７０から予め定められた被電力供給部（電力供給を受けて動作する動作部）への電力供給が可能か否かを判断する。そして、電力供給が可能と判断すると、制御回路７１に指示し、蓄電池７２から予め定められた被電力供給部への電力供給を行わせる。特に限定されないが、制御部６０に設けられる回路などに電力が供給される。
【００２６】
＜光発電モジュールの取付構造＞
図５および図６に示すように、支持部材５０は、光発電モジュール４０が操作パネル３０の操作面３０ａの上方に配置されるように、光発電モジュール４０を支持する。具体的には、支持部材５０は、直線的に延びるように形成されるとともに、読取筐体１１の左側面および右側面にそれぞれ配置される。そして、支持部材５０の延伸方向の一方端部に光発電モジュール４０が取り付けられ、支持部材５０の一方端部とは反対側の他方端部が読取筐体１１の側面（装置本体１００Ａ）に取り付けられる。
【００２７】
ここで、支持部材５０の一方端部には回動軸５０１が設けられており、その回動軸５０１にモジュール筐体４１が連結されることによって、支持部材５０に対して光発電モジュール４０が取り付けられた状態となっている。これにより、図７に示すように、光発電モジュール４０は、回動軸５０１を支点とし、支持部材５０に対して回動する。特に限定されないが、回動軸５０１としてトルクヒンジ軸が用いられる。このため、光発電モジュール４０が自重で回動することはない（光発電モジュール４０を任意の傾き角で保持することができる）。
【００２８】
なお、光発電モジュール４０を支持部材５０に対して際限なく回転させると、光発電モジュール４０から延びる電線４６（図１２参照）がねじる。このため、光発電モジュール４０の上面（上方に向けるべき面）と下面（下方に向けるべき面）とが予め定められる。そして、図示しないが、光発電モジュール４０の上面が下方に向かないように（換言すれば、光発電モジュール４０の下面が上方に向かないように）、光発電モジュール４０の回動範囲を規制するための規制部材が支持部材５０に設けられる。以下、光発電モジュール４０の各面のうち、第１受光面４０ａが上面とされ、第２受光面４０ｂが下面とされているとする。
【００２９】
＜支持部材の回動および伸縮＞
図６〜図８に示すように、支持部材５０の他方端部（光発電モジュール４０が取り付けられた端部とは反対側の端部）には、回動軸５０２が設けられる。この回動軸５０２は、読取筐体１１の側面に設けられた支持部（図示せず）に回動可能に軸支される。したがって、支持部材５０は、回動軸５０２を支点とし、一方端部（光発電モジュール４０が取り付けられた端部）を上下方向に振るように回動する。
【００３０】
支持部材５０が回動すると、支持部材５０に取り付けられた光発電モジュール４０が上下方向に移動する。光発電モジュール４０が下方に移動するよう支持部材５０をＤ１方向に回動させた場合、光発電モジュール４０が操作パネル３０に接近する。一方で、光発電モジュール４０が上方に移動するよう支持部材５０をＤ２方向に回動させた場合、光発電モジュール４０が操作パネル３０から離れる。
【００３１】
たとえば、読取筐体１１の側面には、支持部材５０のＤ１方向への回動を停止させるための下限ストッパー１１１および支持部材５０のＤ２方向への回動を停止させるための上限ストッパー１１２が設けられる。特に限定されないが、下限ストッパー１１１および上限ストッパー１１２は、それぞれ、ゴムなどの弾性材によって形成される。
【００３２】
これにより、支持部材５０が下限ストッパー１１１に当接して以降は、支持部材５０をＤ１方向に回動させることはできない（図８参照）。一方で、支持部材５０が上限ストッパー１１２に当接して以降は、支持部材５０をＤ２方向に回動させることはできない（図６および図７参照）。したがって、支持部材５０が下限ストッパー１１１に当接したときの支持部材５０の位置が下限位置（「第１位置」に相当）となり、支持部材５０が上限ストッパー１１２に当接したときの支持部材５０の位置が上限位置（「第２位置」に相当）となる。すなわち、支持部材５０は、下限位置と上限位置との間で回動する。
【００３３】
上限位置に在る支持部材５０をＤ１方向に回動させると、図９に示すように、光発電モジュール４０が下方に移動し、光発電モジュール４０が操作パネル３０に当接する。たとえば、操作パネル３０の操作面３０ａには、光発電モジュール４０が当接したときの衝撃を緩和するため、ゴムなどからなるクッション部材３４が設けられる。そして、光発電モジュール４０がクッション部材３４に当接して以降、支持部材５０をＤ１方向にさらに回動させ続けると、支持部材５０が下限位置に到達し、図８に示す状態となる。
【００３４】
そして、支持部材５０が下限位置に到達すると、操作パネル３０の操作面３０ａが光発電モジュール４０によって塞がれる（覆われる）。このとき、光発電モジュール４０の第１受光面４０ａ（上面）は、操作パネル３０の操作面３０ａに対向する方向とは逆方向に向く。そして、光発電モジュール４０の第２受光面４０ｂ（下面）は、操作パネル３０の操作面３０ａと対向する。
【００３５】
光発電モジュール４０が操作パネル３０の操作面３０ａを塞ぐ位置に配置されると、光発電モジュール４０の第１受光面４０ａが上方に向くので、太陽光や人工光などの光が第１受光面４０ａに入射し、その光を利用した発電が光発電モジュール４０にて行われる。さらに、光発電モジュール４０が操作パネル３０の操作面３０ａを塞ぐ位置に配置された状態において、操作パネル３０が表示動作を行った場合（表示光を発した場合）には、光発電モジュール４０の第２受光面４０ｂに操作パネル３０の表示光が入射する。したがって、操作パネル３０の表示光を利用した発電が光発電モジュール４０にて行われる。
【００３６】
一方で、支持部材５０をＤ２方向に回動させ、支持部材５０が上限位置に到達すると、図６および図７に示す状態となる。すなわち、支持部材５０が上限位置に在るとき、光発電モジュール４０は、操作パネル３０の操作面３０ａを露出させる。このときには、光発電モジュール４０を支持部材５０に対して任意に回動させることができる（図７参照）。このため、光発電モジュール４０の傾き角を任意に変更することができる。
【００３７】
ここで、支持部材５０は、引張バネなどの付勢部材１１３によって、下限位置から上限位置に向かって回動するよう常に付勢される。たとえば、付勢部材１１３として引張バネを用いる場合、引張バネの一端は、支持部材５０に取り付けられ、引張バネの他端は、読取筐体１１から突出するバネ用ポスト１１４に取り付けられる。
【００３８】
また、図１０に示すように、光発電モジュール４０および操作パネル３０には、それぞれ、モジュール側係合部４５およびパネル側係合部３５が設けられる。なお、モジュール側係合部４５およびパネル側係合部３５は、それぞれ、「第１係合部」および「第２係合部」に相当する。
【００３９】
モジュール側係合部４５は、ホルダー４５１に回動可能に取り付けられたアクチュエーター４５２を含む。このアクチュエーター４５２は、ホルダー４５１に設けられた回動軸４５１ａを支点として回動する。アクチュエーター４５２の一方端４５３は、係合片として機能するよう爪状に形成される（以下、係合片４５３と称する）。アクチュエーター４５３の他方端４５４は、圧縮バネなどの付勢部材４５５によって付勢される。パネル側係合部３５は、係合片４５３と係合可能に形成された係合突起３５１を含む。
【００４０】
そして、モジュール側係合部４５およびパネル側係合部３５は、支持部材５０を下限位置に到達するまで回動させることによって互いに係合する。以下、具体的に説明する。
【００４１】
まず、光発電モジュール４０が操作パネル３０から離れている状態（図１０の上図の状態）から、支持部材５０を回動させることにより光発電モジュール４０を下方に移動させると、係合片４５３が係合突起３５１に当接する。この状態から、光発電モジュール４０をさらに下方に移動させ続けると、アクチュエー４５２が付勢部材４５５の付勢力に抗して回動する。その後、支持部材５０が下限位置に到達するまで光発電モジュール４０を下方に移動させ続けると、係合片４５３が係合突起３５１の下方に入り込み、係合片４５３と係合突起３５１とが係合した状態（図１０の下図の状態）となる。
【００４２】
したがって、支持部材５０が下限位置に在るとき（図８に示す状態のとき）には、モジュール側係合部４５およびパネル側係合部３５が互いに係合するので、支持部材５０が付勢部材１１３の付勢力によって上限位置に向かって回動することはない。すなわち、光発電モジュール４０が上方に移動することはない（光発電モジュール４０が操作パネル３０の操作面３０ａを塞ぐ位置で保持される）。
【００４３】
なお、モジュール側係合部４５とパネル側係合部３５との係合は、アクチュエーター４５２の他方端４５４を付勢部材４５５の付勢力に抗して内側に押し込むことによって解除される。モジュール側係合部４５とパネル側係合部３５との係合が解除されると、付勢部材１１３の付勢力によって支持部材５０が下限位置から上限位置に向かって回動する。
【００４４】
これにより、支持部材５０が下限位置に在るとき、アクチュエーター４５２の他方端４５４を押すだけで、支持部材５０を下限位置から上限位置に向かって回動させることができる。すなわち、操作パネル３０の操作面３０ａを露出させることができる（操作パネル３０に対する操作が可能となる）。なお、このように構成する場合、支持部材５０が上限ストッパー１１２に衝突したときの衝撃を緩和するため、上限ストッパー１１２としてダンパーなどを用いてもよい。
【００４５】
また、光発電モジュール４０は、上下方向だけでなく、支持部材５０の延伸方向にも移動可能である。言い換えると、支持部材５０が延伸方向に伸縮可能となっている。
【００４６】
たとえば、図１１および図１２に示すように、支持部材５０は、レール部材５１およびスライド部材５２を含む。レール部材５１は、読取筐体１１に取り付けられる部材であって、読取筐体１１に軸支される回動軸５０２を有する。スライド部材５２は、レール部材５１にスライド可能に支持され、レール部材５１に対してスライドする（支持部材５０が延伸方向に伸縮する）。そして、光発電モジュール４０は、回動軸５０１を介してスライド部材５２に連結される。
【００４７】
特に限定されないが、レール部材５１は、断面形状が略コの字形状（一部に切れ目が入った環状）となるよう形成される。すなわち、レール部材５１は、内側にスペースを有する。そして、スライド部材５２は、レール部材５１の内側に挿入される。これにより、スライド部材５２は、レール部材５１の内面にガイドされつつ、延伸方向にスライド可能となる。たとえば、レール部材５１の内底面には、ゴムなどからなる滑り止め用の摩擦シート５３が配置される。この摩擦シート５３はスライド部材５２に当接するので、スライド部材５２が自重で滑り落ちるのを抑制することができる。
【００４８】
また、スライド部材５２は、レール部材５１と同様、断面形状が略コの字形状となるよう形成される。そして、支持部材５０の内側のスペースは、光発電モジュール４０から延びる電線４６を収容するための収容スペース５４とされる。たとえば、支持部材５０に形成されたスリットから支持部材５０の内側に電線４６を挿入することにより、収容スペース５４に電線４６を収容することができる。
【００４９】
本実施形態の複合機１００（画像形成装置）は、上記のように、ユーザーから操作を受け付ける操作面３０ａを有する操作パネル３０と、光を受けて発電する光発電モジュール４０と、光発電モジュール４０が操作パネル３０の操作面３０ａの上方に配置されるように、光発電モジュール４０を支持する支持部材５０とを備える。そして、光発電モジュール４０は、支持部材５０に対して回動可能に支持される。
【００５０】
本実施形態の構成では、光の入射方向に応じて光発電モジュール４０を支持部材５０に対して回動させれば（光発電モジュール４０の傾きを調整すれば）、操作パネル３０の操作面３０ａで光が反射されないように、光発電モジュール４０によって光を遮ることができる。したがって、光発電モジュール４０が遮光部材を兼ねているので、遮光部材を別途設けなくても、操作パネル３０の操作面３０ａで光が反射することに起因して操作パネル３０の操作面３０ａが見難くなる、という不都合が生じるのを抑制することができる。特に、光発電モジュール４０の発電量を増大させるために日当たりの良い窓際に複合機１００を設置した場合には、人工光（蛍光灯の光など）だけでなく太陽光も操作パネル３０の操作面３０ａに入射するので、操作パネル３０の操作面３０ａがより見難くなり得るところ、本実施形態の構成では、窓から操作パネル３０の操作面３０ａに入射する太陽光を遮るように光発電モジュール４０の傾きを調整することにより、光発電モジュール４０の発電量を増大させることができるとともに、操作パネル３０の操作面３０ａで太陽光が反射することに起因して操作パネル３０の操作面３０ａが見難くなることを回避することができる。
【００５１】
なお、操作パネル３０の操作面３０ａの上方に光発電モジュール４０を配置すると、ユーザーによっては、操作パネル３０の操作面３０ａが見難くなる場合がある。しかし、光発電モジュール４０は支持部材５０に対して回動可能に支持されるので、操作パネル３０の操作面３０ａが見易くなるように、光発電モジュール４０の傾きを調整することができる。
【００５２】
また、本実施形態では、上記のように、光発電モジュール４０は、支持部材５０が下限位置に向かって回動することによって操作パネル３０の操作面３０ａに接近する方向に移動し、支持部材５０が下限位置に到達すると操作パネル３０の操作面３０ａを塞ぎ、支持部材５０が下限位置から上限位置に向かって回動することによって操作パネル３０の操作面３０ａから離れる方向に移動する。この構成では、たとえば、複合機１００を使用しないときに支持部材５０を下限位置に保持しておけば、操作パネル３０の操作面３０ａが光発電モジュール４０によって塞がれた状態になるので、操作パネル３０の操作面３０ａに埃が付着するのを抑制することができる。すなわち、操作パネル３０の操作面３０ａに埃が付着するのを抑制するための専用のカバーを別途設ける必要はない（部品点数を増加させることなく、操作パネル３０の操作面３０ａに埃が付着するのを抑制することができる）。なお、操作パネル３０に対する操作を行うときには、光発電モジュール４０を下限位置から上限位置に向かって回動させ、光発電モジュール４０を操作パネル３０の操作面３０ａから離間させることによって、操作パネル３０の操作面３０ａを露出させればよい。
【００５３】
また、本実施形態では、上記のように、表示光を発するタッチパネルディスプレイ３２が操作パネル３０の操作面３０ａに配置される。そして、光発電モジュール４０は、表面および裏面の両面が受光面として機能する。この構成では、光発電モジュール４０の第２受光面４０ｂが操作パネル３０の操作面３０ａと対向しているときに、タッチパネルディスプレイ３２が発する表示光を発電モジュール４０の発電に利用することができる。
【００５４】
また、本実施形態では、上記のように、支持部材５０は、付勢部材１１３の付勢力により下限位置から上限位置に向かって回動するよう付勢される。また、光発電モジュール４０にはモジュール側係合部４５が設けられるとともに、操作パネル３０にはモジュール側係合部４５と係合可能なパネル側係合部３５が設けられる。そして、モジュール側係合部４５およびパネル側係合部３５は、支持部材５０が下限位置に在るときに、互いに係合する。この構成では、操作パネル３０の操作面３０ａが光発電モジュール４０によって塞がれているときに、モジュール側係合部４５とパネル側係合部３５との係合を解除すると、操作パネル３０が上方に移動する（支持部材５０が下限位置から上限位置に向かって回動する）ので、操作パネル３０の操作面３０ａが露出する。これにより、操作パネル３０の操作面３０ａが光発電モジュール４０によって塞がれた状態から、ワンタッチで、操作パネル３０に対する操作が行える状態にすることができる。
【００５５】
また、本実施形態では、上記のように、支持部材５０は、レール部材５１と、レール部材５１にスライド可能に支持されるスライド部材５２とを含む。そして、光発電モジュール４０は、スライド部材５２に支持される。この構成では、光発電モジュール４０の傾きだけでなく、光発電モジュール４０の前後方向（支持部材５０の延伸方向）の位置調整も行うことができる。
【００５６】
また、本実施形態では、上記のように、支持部材５０は、内側に収容スペース５４が確保されるように形成されており、光発電モジュール４０から延びる電線４６を収容スペース５４に収容する。この構成では、光発電モジュール４０を装置本体１００Ａから離れた位置（操作パネル３０の操作面３０ａの上方）に配置しても、電線４６がむき出しになるのを抑制することができる。
【００５７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００５８】
たとえば、支持部材５０を回動させるためのモーターを複合機１００に設け、そのモーターの駆動を主制御部６０により制御し、支持部材５０を回動させてもよい（光発電モジュール４０を上下方向に移動させてもよい）。
【００５９】
また、このように構成する場合、複合機１００の電力モードを通常モードから省電力モード（スリープモード）に移行するときに、支持部材５０を下限位置に回動させ、操作パネル３０の操作面３０ａを光発電モジュール４０で塞ぐようにしてもよい。なお、通常モードというのは、複合機１００の被電力供給部に対して通常の電力供給を行うモードであり、省電力モードというのは、複合機１００の被電力供給部に対する電力供給を通常モードよりも制限するモードである。
【００６０】
たとえば、主制御部６０は、複合機１００が使用されずに経過した時間である未使用時間を計時し、未使用時間が予め定められた閾値時間に達すると、省電力モードへの移行条件が満たされたと判断する。そして、このとき、主制御部６０は、支持部材５０を下限位置に回動させた上で、省電力モードに移行する。
【符号の説明】
【００６１】
３０  操作パネル
３０ａ  操作面
３１  タッチパネルディスプレイ（表示パネル）
３５  パネル側係合部（第２係合部）
４０  光発電モジュール
４５  モジュール側係合部（第１係合部）
５０  支持部材
５１  レール部材
５２  スライド部材
５４  収容スペース
１１３  付勢部材
【図１】
0006524963.tif 000002
【図２】
0006524963.tif 000003
【図３】
0006524963.tif 000004
【図４】
0006524963.tif 000005
【図５】
0006524963.tif 000006
【図６】
0006524963.tif 000007
【図７】
0006524963.tif 000008
【図８】
0006524963.tif 000009
【図９】
0006524963.tif 000010
【図１０】
0006524963.tif 000011
【図１１】
0006524963.tif 000012
【図１２】
0006524963.tif 000013